(57)【要約】【課題】サービス店等の顧客へのサービスを有効に向上することにある。【解決手段】卓上用ホルダー３に装着するための装飾用やカレンダー等の卓上用シート２の表面を複数の所定寸法の区分枠４、５、６、７に分割し、上記卓上用シート２の一つの区分枠４に来店したときに撮影した顧客のくつろいだ状態等の写真８を掲載するとともに、他の一つの区分枠５に当該卓上用シートのサービス提供者等の広告や宣伝、催し、商品写真、サービス内容９を掲載し、さらに上記卓上用シート２の他の区分枠６、７にカレンダー１０やサービス店名１１を掲載するようにしている。【選択図】　　　　図１
0003098221.tif 000002
【実用新案登録請求の範囲】
【請求項１】
卓上用ホルダーに装着するための装飾用やカレンダー等の卓上用シートの表面を複数の所定寸法の区分枠に分割し、
上記卓上用シートの一つの区分枠に顧客が来店したときに撮影した顧客のくつろいだ状態等の写真を掲載するとともに、他の一つの区分枠に当該卓上用シートのサービス提供者等の広告や宣伝、催し、商品写真、サービス内容を掲載し、さらに上記卓上用シートの他の区分枠にカレンダーやメモノート部を掲載したことを特徴とする顧客の写真入りメモリアルシート。
【請求項２】
サービス提供者等の広告や宣伝、商品写真、催し、サービス内容または顧客が来店したときに撮影した顧客のくつろいだ状態等の写真の縦、横のサイズと卓上用シートの縦、横の２分の１等のサイズをそれぞれ比較するようにして、比較したサイズの大きさにしたがって卓上用シートの他の区分枠をパソコン画面で選択または作成して所要の区分枠を形成し、サービス提供者等の広告や宣伝、商品写真、催し、サービス内容、顧客の写真、カレンダーやメモノート部を上記の区分枠にイメージ貼り付けして掲載してプリントアウトして形成した請求項１に記載の顧客の写真入りメモリアルシート。
【請求項３】
サービス内容の縦、横のサイズと卓上用シートの縦、横の２分の１のサイズをそれぞれ比較して、比較したサイズの大きさにしたがって卓上用シートのサービス内容の区分枠と顧客の写真の区分枠を横、縦に並べてこれらの区分枠をパソコン画面に自動的に形成し、サービス提供者等の広告や宣伝、催し、商品写真、サービス内容、顧客の写真、カレンダーやメモノート部を上記の区分枠にイメージ貼り付けして掲載してプリントアウトして形成した請求項２に記載の顧客の写真入りメモリアルシート。
【請求項４】
顧客が来店したときに撮影した顧客のくつろいだ状態の写真の縦、横のサイズと卓上用シートの縦、横の２分の１のサイズをそれぞれ比較して、比較したサイズの大きさにしたがって卓上用シートのサービス内容の区分枠と顧客の写真の区分枠を横、縦に並べてこれらの区分枠をパソコン画面に自動的に形成し、サービス提供者等の広告や宣伝、催し、商品写真、サービス内容、顧客の写真、カレンダーやメモノート部を上記の区分枠にイメージ貼り付けして掲載してプリントアウトして形成した請求項２に記載の顧客の写真入りメモリアルシート。
【請求項５】
卓上用シートの下部や側部に当該写真の顧客に関するデータを示す識別番号やバーコードを表記して、卓上用シートに表記した識別番号やバーコードを読み取り可能としてパソコンに入出力可能にデータベースの顧客管理プログラムに上記した顧客をコード化してその写真とともに記録した請求項１ないし４のいずれかに記載の顧客の写真入りメモリアルシート。
【請求項６】
予め顧客の写真以外の区分枠について作成しておいて顧客の写真欄の区分枠を空白状態としておき、顧客を撮影した写真を上記空白欄に貼り付けてスキャナーでスキャンして顧客の写真入りの卓上用メモリアルシートをプリントアウトして形成した請求項１ないし５のいずれかに記載の顧客の写真入りメモリアルシート。
【請求項７】
カレンダー用シートの表面を複数の所定寸法の区分枠に分割し、上記シートの一つの区分枠に顧客が来店したときに撮影した顧客のくつろいだ状態等の写真を掲載するとともに、他の一つの区分枠に当該卓上用シートのサービス提供者等の広告や宣伝、催し、商品写真、サービス内容を掲載し、さらに上記シートの他の区分枠にカレンダーを掲載したものであって、
予め顧客の写真以外の区分枠について作成しておいて顧客の写真欄の区分枠を空白状態としておき、顧客を撮影した写真を上記空白欄に貼り付けてスキャナーでスキャンして顧客の写真入りのカレンダー用シートをプリントアウトして形成したことを特徴とする顧客の写真入りメモリアルシート。
【考案の詳細な説明】
【０００１】
【考案が属する技術分野】
本考案は、販売促進等のサービス分野における顧客の写真入りメモリアルシートに関するものである。
【０００２】
【従来の技術】
従来、銀行、旅館、ホテル、飲食店などのサービス業では、自己の業務の広告、宣伝にカレンダーや粗品等を顧客に配布し、販売促進をはかって業務の円滑な遂行をはかるようにしている。
【０００３】
しかし、これらのサービスは、専ら販売者側の一方的な広告、宣伝とも言えるもので、顧客に喜ばれて、親密な信頼関係を築ける手段が求められている。
【０００４】
【先行技術文献】
そのため、サービスのための広告、宣伝の卓上用カレンダー等について特許調査を行った結果、実用新案登録第３０４０７５６号公報、実用新案登録第３０５７０００号公報等が検索された。
【０００５】
実用新案登録第３０４０７５６号公報には、手作り写真掲示カレンダーについてその余白部に利用者が自分の所望の写真を着脱自在に掲示できる差し込み手段を設けることが提案されている。
【０００６】
また、実用新案登録第３０５７０００号公報には、カレンダー使用者が好きな絵画や写真等を差し込んで飾ることが提案されている。
【０００７】
しかし、従来はこのように専ら自分の好みで、自分の絵画や写真等をカレンダーの余白部に差し込んだりして楽しむものであった。
【０００８】
【考案が解決しようとする課題】
そこで、サービス提供者にとって、来店してくれた顧客に喜んでもらえ、かつサービス提供者も広告、宣伝でき、相互の親密な関係を築けて維持発展できることが課題であった。
【０００９】
【課題を解決するための手段】
本考案は、上記のような点に鑑みたもので、上記の課題を解決するために、卓上用ホルダーに装着するための装飾用やカレンダー等の卓上用シートの表面を複数の所定寸法の区分枠に分割し、上記卓上用シートの一つの区分枠に顧客が来店したときに撮影した顧客のくつろいだ状態等の写真を掲載するとともに、他の一つの区分枠に当該卓上用シートのサービス提供者等の広告や宣伝、催し、商品写真、サービス内容を掲載し、さらに上記卓上用シートの他の区分枠にカレンダーやメモノート部を掲載したことを特徴とする顧客の写真入りメモリアルシートを提供するにある。
【００１０】
また、カレンダー用シートの表面を複数の所定寸法の区分枠に分割し、上記シートの一つの区分枠に顧客が来店したときに撮影した顧客のくつろいだ状態等の写真を掲載するとともに、他の一つの区分枠に当該卓上用シートのサービス提供者等の広告や宣伝、催し、商品写真、サービス内容を掲載し、さらに上記シートの他の区分枠にカレンダーを掲載したものであって、予め顧客の写真以外の区分枠について作成しておいて顧客の写真欄の区分枠を空白状態としておき、顧客を撮影した写真を上記空白欄に貼り付けてスキャナーでスキャンして顧客の写真入りのカレンダー用シートをプリントアウトして形成したことを特徴とする顧客の写真入りメモリアルシートを提供するにある。
【００１１】
【考案の実施の形態】
本考案の顧客の写真入りメモリアルシートは、卓上用ホルダーに装着するための装飾用やカレンダー等の卓上用シートの表面を複数の所定寸法の区分枠に分割し、上記卓上用シートの一つの区分枠に顧客が来店したときに撮影した顧客のくつろいだ状態等の写真を掲載するとともに、他の一つの区分枠に当該卓上用シートのサービス提供者等の広告や宣伝、催し、商品写真、サービス内容を掲載し、さらに上記卓上用シートの他の区分枠にカレンダーやメモノート部を掲載したことを特徴としている。
【００１２】
また、カレンダー用シートの表面を複数の所定寸法の区分枠に分割し、上記シートの一つの区分枠に顧客が来店したときに撮影した顧客のくつろいだ状態等の写真を掲載するとともに、他の一つの区分枠に当該卓上用シートのサービス提供者等の広告や宣伝、催し、商品写真、サービス内容を掲載し、さらに上記シートの他の区分枠にカレンダーを掲載したものであって、予め顧客の写真以外の区分枠について作成しておいて顧客の写真欄の区分枠を空白状態として、顧客を撮影した写真を上記空白欄に貼り付けてスキャナーでスキャンして顧客の写真入りのカレンダー用シートをプリントアウトして形成したことを特徴としている。
【００１３】
顧客の写真入りメモリアルシート１は、たとえば図１のようにほぼ１２．７ｃｍ×１２．７ｃｍサイズ等のプリント用の卓上用シート２で形成して、家庭での机上やリビングの応接セットのキャビネット上等に汎用されている卓上用ホルダー３に装着して楽しめるようにしているものである。
【００１４】
この卓上用シート２には、図１に示しているようにその表面を複数の所定寸法の区分枠４、５、６、７に分割して、たとえばこの卓上用シート２の左上欄の区分枠４にこの卓上用メモリアルシート１のサービス提供者である飲食店、旅館、ホテル、銀行等のサービス店に顧客が来店したときの顧客がくつろいだ状態を主として撮影した写真８のほぼ５〜７ｃｍ×７〜５ｃｍサイズの区分枠４のサイズとしてパソコン等を利用して貼り付けてプリントアウトして掲載するようにしている。
【００１５】
また、卓上用シート２の右欄の区分枠５には、この卓上用メモリアルシート１のサービス提供者である飲食店等のサービス店の写真付きの飲食メニューや宣伝、広告、催し、サービス内容９などを写真で撮影したり、スキャナーで取り込んで、上記と同様にパソコン等を利用して貼り付けて掲載するようにしている。
【００１６】
また、卓上用シート２の左下欄の区分枠６には、カレンダー１０やメモノート部などを上記と同様にパソコン等を利用して貼り付けて掲載するようにしているとともに、下部の区分枠７にこの卓上用メモリアルシート１のサービス提供者である飲食店等のサービス店名１１を掲載し、その側部に当該写真８を掲載する顧客に関するデータを示す識別番号１２やバーコードを表記し、パソコンで顧客管理やポイントサービスなどを容易に行えるようにしている。
【００１７】
顧客に関するデータの内容としては、会員番号、顔写真、氏名、住所、電話番号、ファクシミリ番号、Ｅ−メール、年齢、性別、職業、買上額、月別買上額、累計額、ポイント数、趣味、その他をパソコンに入出力可能に記録できるもので、特に上記した顧客の写真８をデータ登録して、パソコン画面やプリントアウトして顧客の顔を視覚的に繰り返して確認して認識するようにできる。
【００１８】
なお、上記データの識別番号１２やバーコードは、下部に限らず、側部等に表記することができ、表面側に表示するのに支障等がある場合には磁気インク等でプリントして透明状として表示することができ、これらの識別番号１２やバーコードをパソコンに接続したスキャナーやコード読取装置で読み取り可能としてパソコンに入出力自在にしてデータ処理するようにできる。
【００１９】
上記した区分枠４、５、６、７については、サービス提供者に対応して適宜のサイズ、区分とすることができ、たとえば図２や図３のように予めパソコンで選別可能にプログラムを作成しておいて、撮影した写真８やカレンダー１０、サービス店名１１、識別番号１２の所定の区分枠４、５、６、７を自動的に選択したり、作成処理するようにできる。
【００２０】
図２は、その処理手段を示すもので、サービス提供者のサービス内容９の掲載要望のサイズＣ×Ｄが卓上用シート２のＡ×Ｂのサイズに対して２分の１等より大きいか、小さいかによって、撮影した写真８やカレンダー１０、サービス店名１１、識別番号１２に対応した所要の区分枠４、５、６、７の卓上用シート１用のものを選択したり、自動的に作成して、これらを貼り付けるようにできる。
【００２１】
たとえば、サービス内容９の掲載要望サイズの縦Ｃ、Ｄのサイズが卓上用シート２のＡ、Ｂの２分の１より大きいか、小さいかによってプログラム処理して図示したように予め設定した図２（ａ）〜（ｄ）のような区分枠４と区分枠５を横に並べたり、縦に並べ、他の区分枠６、７もパソコン画面に出力可能に作成しておいて、これらを選択して作成したイメージを貼り付けることができる。
【００２２】
また、図３のように顧客の写真８のサイズＥ×Ｆについても同様に行え、図３（ｅ）〜（ｉ）のように区分枠４、５を横、縦に並べ、他の区分枠６、７もパソコン画面に出力可能に作成しておいて、これらを選択して作成したイメージを貼り付けることができる。なお、区分枠４を正方形とすれば、区分枠４への写真８の縦、横寸法の貼り付けミスを有効に防止することができる。なお、Ａ、Ｂ、Ｃ、Ｄ、Ｅ、Ｆのサイズとしては、外周枠を除いたものとすることもできる。
【００２３】
そして、図４のようにパソコン１３に所要のワードやイメージ作成・貼付用ソフト等を利用して、上記した卓上用シート２に対応する枠に区分枠４、５、６、７を作成したものを採択し、スキャナー１４で取り込んだ写真８やサービス内容９、パソコン１３で作成したカレンダー１０や、データベース１５からの識別番号１２を貼り付けて、プリンター１６で卓上用メモリアルシート１をプリントアウトして作成することができる。
【００２４】
なお、図５のように上記のように区分枠４、５、６、７の決定にもとづいて、予め掲載する写真８の区分枠４と識別番号１２の区分枠７を除いた月毎や季節毎等に合わせて決定できるサービス内容９、カレンダー１０、サービス店名１１等を組み入れておき、サービス店内で撮影した顧客の写真８をディジタル送信またはスキャナー１４で取り込んでパソコン１３に送信して写真８の区分枠４に貼り付け、プリントアウトして作成するようにもできる。
【００２５】
また、その際に自動的に会員番号である識別番号１２を配布してデータベース１５に上記した所定事項および当該写真８を入力して登録するとともに、卓上用メモリアルシート１の下部に識別番号１２を非透明または透明状にプリントすることができる。
【００２６】
また、図６のように上記した写真８、サービス内容９、カレンダー１０、サービス店名１１についてサービス店のパソコン１３にデータ入力し、上記したプログラムを有する編集用のパソコン１７にインターネット１８を介して送信し、上記のように編集処理して依頼者のパソコン１３にインターネット１８を介して返送してプリントアウトするようにもできる。
【００２７】
このように公知のインターネット手段を利用して編集処理できるもので、依頼者を複数人の遠隔地域のものとするなど適宜に実施することができるものである。このようにすると、ホテルや旅館などの滞在時間の長い顧客に記念品としてサービス提供するようにできて好ましい。
【００２８】
また、図７のように予め顧客の写真８以外の区分枠５、６、７について作成しておいて顧客の写真８欄の区分枠４を空白状態としておき、顧客を撮影した写真８を上記空白欄に貼り付けてスキャナー１４でスキャンして顧客の写真入りの卓上用メモリアルシートをプリントアウトすることもできる。
【００２９】
なお、上記では主として卓上用のものについて説明したが、Ａ４、Ｂ４、Ａ３サイズ等のカレンダーについても、カレンダー用シートについて上記のようにして顧客の写真入りカレンダーのメモリアルシートを作成することができるものである。
【００３０】
【実施例】
図１〜図４は、本考案の一実施例を示すものである。営業活動等によってサービス提供者のサービス内容９または顧客の写真の掲載希望のサイズに対応して図２や図３のようなフローチャートにもとづく最適化プログラムによってパソコン１３の画面で卓上用メモリアルシート１の適切なパターンを選択し、図４のようにそれぞれの区分枠４、５、６、７に対応して準備した写真８、サービス内容９、カレンダー１０、サービス店名１１のイメージ画像、識別番号１２を貼り付けるようにしている。
【００３１】
その準備にあっては、特に写真８をサービス店に来客したときの気取りのない顧客を撮影したものとすることが好ましいもので、ディジタルカメラからパソコン１３に直接入力送信したり、スキャナー１４を介して入力することができる。
【００３２】
サービス内容９、カレンダー１０、サービス店名１１、識別番号１２については、パソコン１３で直接作成したり、必要によりプリントアウト等のプリントからスキャナー１４等を介してパソコン１３に入力することができる。
【００３３】
その際、図５のようにパソコン１３の画面に上記した所要のパターンを出力し、それぞれの区分枠４、５、６、７に写真８、サービス内容９、カレンダー１０、サービス店名１１を入力しておき、卓上用メモリアルシート１の作成にあったて、これらの入力した画面を呼び出し、所要の撮影写真８をデータベースによってベース化した識別番号１２を割り当てて区分枠４、７に入力していくのが効率的で好ましい。
【００３４】
このようにして好ましくは顧客が来客して店を出るとき、または後日上記写真を掲載した卓上用メモリアルシート１を手渡すことによって、顧客の感動と喜びが得られ、また帰宅後に机上等に卓上用ホルダーに装着して装飾としたり、メモリアルとして保存でき、その際サービス店、サービス内容を見る機会が増えて再度の来客の機会を生じるようにできる効果がある。
【００３５】
なお、図４、図５のように卓上用メモリアルシート１を作成する際に、顧客管理データベースソフトを利用して顧客マスター、住所マスター、ポイントアップマスター、電話他マスター、写真マスター、趣味その他マスターに登録することができるものである。このようにすると、サービス店側で顧客リストをその写真で確認しながら管理でき、顧客の氏名と顔をできるだけ早く照合して親密に接するようにできる。
【００３６】
図６は、本考案のさらに他の実施例を示すもので、上記した卓上用メモリアルシート１の編集、作成について卓上用メモリアルシート編集専門店側で行うようにし、サービス店側はインターネットのＥ−メール手段等で撮影した写真８、サービス店名１１などを上記専門店側に送信して編集、作成してもらい、再びＥ−メール手段等で依頼したサービス店側に返送するようにして、サービス店でプリントアウトして顧客に配布できるようにしたものである。このようにすると、サービス店側がパソコン処理に習熟していなくても、多数の人が行っているＥ−メール等のインターネット利用手段で上記した卓上用メモリアルシートの作成が容易に行えるものである。
【００３７】
また、図７は、本考案のさらに他の実施例で、予め顧客の写真以外の区分枠について作成しておいて顧客の写真欄の区分枠を空白状態としておき、顧客を撮影した写真を上記空白欄に貼り付けてスキャナーでスキャンして顧客の写真入りの卓上用メモリアルシートをプリントアウトするようにしたもので、この場合には簡単、迅速に処理することができる。
【００３８】
なお、上記では、カレンダーを掲載するようにし、識別番号を表示するようにしたが、メモ欄やバーコードに代えるなど本考案の趣旨にもとづいて適宜な変更態様を実施できるのは言うまでもない。
【００３９】
なお、Ａ４、Ｂ４、Ａ３サイズのカレンダー用シートについても、上記のように区分枠を設け、特に予め顧客の写真以外の区分枠について作成しておいて顧客の写真欄の区分枠を空白状態としておき、顧客を撮影した写真を上記空白欄に貼り付けてスキャナーでスキャンして顧客の写真入りのカレンダー用シートをプリントアウトすることもできる。
【００４０】
【考案の効果】
以上のように本考案にあっては、卓上用ホルダーに装着する卓上用メモリアルシートに来客者のくつろいだ写真等を掲載して配布するので、顧客の感動と喜びが得られ、また帰宅後に机上等に卓上用ホルダーに装着して装飾としたり、メモリアルとして保存できる。そしてまた、サービス提供者である飲食店等のサービス店を掲載できるので、サービス店、サービス内容を見る機会が増えて、再度の来客の機会を生じるようにできるものである。
【００４１】
また、サービス提供者等の広告や宣伝、商品写真、催し、サービス内容または顧客が来店したときに撮影した顧客のくつろいだ状態等の写真の縦、横のサイズと卓上用シートの縦、横の２分の１等のサイズをそれぞれ比較するようにして、比較したサイズの大きさにしたがって卓上用シートの他の区分枠をパソコン画面で選択または作成して所要の区分枠を形成し、サービス提供者等の広告や宣伝、商品写真、催し、サービス内容、顧客の写真、カレンダーやメモノート部を上記の区分枠にイメージ貼り付けして掲載してプリントアウトすることによって、多種多様のサービス業種や顧客の写真に対して容易に適切な配置の卓上用メモリアルシートを簡単に作成することができる。
【００４２】
また、サービス内容や顧客の写真の縦、横のサイズと卓上用シートの縦、横の２分の１のサイズをそれぞれ比較するようにすることによって、区分枠の作成が容易で、上記した顧客の写真入りメモリアルシートを実用的に作成することができる。
【００４３】
またさらに、卓上用シートの下部や側部に当該写真の顧客に関するデータを示す識別番号やバーコードを表記し、卓上用シートに表記した識別番号やバーコードを読み取り可能としてパソコンに入出力可能にデータベースの顧客管理プログラムに上記した顧客をコード化してその写真とともに記録することによって、上記した卓上用メモリアルシートで容易に顧客管理を行うことができる。
【００４４】
さらに、予め顧客の写真以外の区分枠について作成しておいて顧客の写真欄の区分枠を空白状態としておき、顧客を撮影した写真を上記空白欄に貼り付けてスキャナーでスキャンして顧客の写真入りの卓上用メモリアルシートをプリントアウトして形成することによって、一層簡単かつ迅速に卓上用メモリアルシートを作成することができる。
【００４５】
さらにまた、カレンダー用シートの表面を複数の所定寸法の区分枠に分割し、上記シートの一つの区分枠に顧客が来店したときに撮影した顧客のくつろいだ状態等の写真を掲載するとともに、他の一つの区分枠に当該卓上用シートのサービス提供者等の広告や宣伝、催し、商品写真、サービス内容を掲載し、さらに上記シートの他の区分枠し、予め顧客の写真以外の区分枠について作成しておいて顧客の写真欄の区分枠を空白状態としておき、顧客を撮影した写真を上記空白欄に貼り付けてスキャナーでスキャンして顧客の写真入りのカレンダー用シートをプリントアウトすることによって、Ａ４、Ｂ４、Ａ３サイズのカレンダーについても、顧客の写真入りのカレンダーを簡単にプリントアウトして作成することができるものである。
【図面の簡単な説明】
【図１】本考案の一実施例の卓上用のメモリアルシート、
【図２】同上の卓上用シートの区分枠作成説明図、
【図３】同上の他の卓上用シートの区分枠作成説明図、
【図４】同上の卓上用メモリアルシート作成説明図、
【図５】同上の他の実施例の卓上用メモリアルシート作成説明図、
【図６】同上のさらに他の実施例の卓上用メモリアルシート作成説明図、
【図７】同上のさらに他の実施例の卓上用メモリアルシート作成説明図。
【符号の説明】
１…卓上用メモリアルシート　　　２…卓上用シート　　３…ホルダー
４、５、６、７…区分枠　　　　　８…写真　　　　　　９…サービス内容
１０…サービス店名　　　　　　　１２…識別番号
【図１】
0003098221.tif 000003
【図２】
0003098221.tif 000004
【図３】
0003098221.tif 000005
【図４】
0003098221.tif 000006
【図５】
0003098221.tif 000007
【図６】
0003098221.tif 000008
【図７】
0003098221.tif 000009